(57)【要約】  本発明の実施例は、電子分野に関連し、バッテリ充電装置及び方法、端末、電力アダプタ並びに記憶媒体を提供する。当該方法は、バッテリ充電装置における充電パスの温度を検出するステップ（Ｓ８０１）と、バッテリ充電装置に充電電力を供給する電力アダプタが第１の動作モードで動作し、且つ、検出された最大温度値が所定の閾値以上であるとき、第２の動作モードにスイッチするよう電力アダプタに指示し、第１の動作モードに対応する充電パスを切断し、第２の動作モードに対応する充電パスに接続するステップ（Ｓ８０２）とを含む。これは、端末バッテリの充電中のデバイス性能に関する局所的熱蓄積の影響を低減し、デバイス寿命を長くし、ユーザ経験を向上させる。
2019520017.tif 000002
【特許請求の範囲】
【請求項１】
端末におけるバッテリに電気接続されるバッテリ充電装置であって、当該バッテリ充電装置は、充電制御ユニット、充電ユニット及び温度収集器を含み、
前記温度収集器は、前記充電ユニットにおける充電パスの温度を検出し、前記検出された温度を前記充電制御ユニットに転送するよう構成され、
前記充電ユニットは、少なくとも２つの充電パスを含み、前記少なくとも２つの充電パスは、パラレルに接続され、前記充電ユニットは、前記充電制御ユニットの指示に従って、電力アダプタの動作モードに対応する充電パスに接続し、
前記充電制御ユニットは、前記温度収集器、前記充電ユニット及び前記電力アダプタに電気接続され、前記充電制御ユニットは、前記温度収集器によって転送された前記温度に従って前記充電ユニットの動作状態及び前記電力アダプタの動作状態を通知し、前記電力アダプタが第１の動作モードで動作し、且つ、前記温度収集器によって検出された最大温度値が所定の閾値以上であるとき、前記充電制御ユニットは、第２の動作モードにスイッチするよう前記電力アダプタに指示し、前記第１の動作モードに対応する充電パスを切断し、前記第２の動作モードに対応する充電パスに接続するよう前記充電ユニットに指示するバッテリ充電装置。
【請求項２】
当該装置は、前記充電ユニットにおける各充電パスの温度を検出するため、前記充電ユニットにおける各充電パスについて配置された温度収集器を含む、請求項１記載の装置。
【請求項３】
前記最大温度値は、前記第１の動作モードに対応する前記充電パスの温度である、請求項１又は２記載の装置。
【請求項４】
前記第２の動作モードに対応する前記充電パスの発熱位置は、前記第１の動作モードに対応する前記充電パスの発熱位置から最も遠い、又は、
前記第２の動作モードに対応する前記充電パスは、前記第１の動作モードに対応する前記充電パス以外の前記充電ユニットにおいて生成される最小の理論熱量を備えた充電パスである、請求項１乃至３何れか一項記載の装置。
【請求項５】
当該バッテリ充電装置は、前記電力アダプタに電気接続され、
前記充電制御ユニットは更に、
前記電力アダプタによってサポートされる動作モードを取得し、
前記電力アダプタが少なくとも２つの動作モードをサポートしていると判定し、且つ、前記電力アダプタによってサポートされる前記少なくとも２つの動作モードに対応する充電パスが前記充電ユニットに存在すると判定した場合、前記温度収集器によって転送された前記温度に従って前記充電ユニットの動作状態及び前記電力アダプタの動作状態を通知することを実行するよう構成される、請求項１乃至４何れか一項記載の装置。
【請求項６】
前記充電制御ユニットは更に、
前記バッテリ充電装置の初期的な充電状態において、第３の動作モードで動作するよう前記電力アダプタに指示し、前記第３の動作モードに対応する充電パスに接続するよう前記充電ユニットに指示するよう構成され、
前記第３の動作モードは、前記電力アダプタによってサポートされる動作モードの何れか１つであり、前記第３の動作モードに対応する前記充電パスが、前記充電ユニットに存在する、請求項１乃至５何れか一項記載の装置。
【請求項７】
バッテリ充電装置に電気接続される電力アダプタであって、当該電力アダプタは、少なくとも２つの動作モードをサポートし、当該電力アダプタは、通信インタフェース、切り替えスイッチ、通信モジュール及び電力モジュールを含み、
前記通信モジュールは、前記通信インタフェースを利用することによって前記バッテリ充電装置と通信し、前記バッテリ充電装置によって送信され、当該電力アダプタの動作モードを通知するのに利用される指示情報を受信するよう構成され、
前記電力モジュールは、前記通信インタフェースを利用することによって前記バッテリ充電装置に充電電力を供給するよう構成され、
前記切り替えスイッチは、前記電力モジュールの動作モードを制御するよう構成され、
前記通信モジュールは更に、前記電力モジュールの前記動作モードを制御するため、前記バッテリ充電装置によって送信された前記指示情報に従って前記切り替えスイッチの動作状態の間でスイッチするよう構成される電力アダプタ。
【請求項８】
バッテリ充電方法であって、当該方法はバッテリ充電装置に適用され、前記バッテリ充電装置は少なくとも２つの充電パスを含み、前記少なくとも２つの充電パスはパラレルに接続され、当該方法は、
前記バッテリ充電装置における充電パスの温度を検出するステップと、
前記バッテリ充電装置に充電電力を供給する電力アダプタが第１の動作モードで動作し、且つ、検出された最大温度値が所定の閾値以上であるとき、第２の動作モードにスイッチするよう前記電力アダプタに指示し、前記第１の動作モードに対応する充電パスを切断し、前記第２の動作モードに対応する充電パスに接続するステップと、
を含む方法。
【請求項９】
前記最大温度値は、前記第１の動作モードに対応する前記充電パスの温度である、請求項８記載の方法。
【請求項１０】
前記第２の動作モードに対応する前記充電パスの発熱位置は、前記第１の動作モードに対応する前記充電パスの発熱位置から最も遠い、又は、
前記第２の動作モードに対応する前記充電パスは、前記第１の動作モードに対応する前記充電パス以外の前記充電ユニットにおいて生成される最小の理論熱量を備えたパスである、請求項８又は９記載の方法。
【請求項１１】
前記バッテリ充電装置の充電電力は、外部の電力アダプタによって供給され、第２の動作モードにスイッチするよう前記電力アダプタに指示する前に、前記第１の動作モードに対応する充電パスを切断し、前記第２の動作モードに対応する充電パスに接続し、当該方法は更に、
前記電力アダプタによってサポートされる動作モードを取得するステップと、
前記電力アダプタが少なくとも２つの動作モードをサポートしていると判定し、且つ、前記電力アダプタによってサポートされる前記少なくとも２つの動作モードに対応する充電パスが前記バッテリ充電装置に存在すると判定した場合、第２の動作モードにスイッチするよう前記電力アダプタに指示し、前記第１の動作モードに対応する充電パスを切断し、前記第２の動作モードに対応する充電パスに接続することを実行するステップと、
を含む、請求項８乃至１０何れか一項記載の方法。
【請求項１２】
当該方法は更に、
前記バッテリ充電装置の初期的な充電状態において、第３の動作モードで動作するよう前記電力アダプタに指示し、前記第３の動作モードに対応する充電パスに接続するステップを含み、
前記第３の動作モードは、前記電力アダプタによってサポートされる動作モードの何れか１つであり、前記第３の動作モードに対応する前記充電パスが、前記バッテリ充電装置に存在する、請求項８乃至１１何れか一項記載の方法。
【請求項１３】
請求項１乃至６何れか一項記載のバッテリ充電装置及びバッテリを含む端末。
【請求項１４】
１つ以上のプログラムを記憶する不揮発性コンピュータ可読記憶媒体であって、前記１つ以上のプログラムは指示を含み、充電制御ユニット、充電ユニット及び温度収集器を含むバッテリ充電装置によって実行されると、
前記指示は、
前記温度収集器が、前記充電ユニットにおける充電パスの温度を検出し、前記検出された温度を前記充電制御ユニットに転送するイベントと、
前記充電ユニットが、前記充電制御ユニットの指示に従って、電力アダプタの動作モードに対応する充電パスに接続するイベントと、
前記充電制御ユニットが、前記温度収集器によって転送された前記温度に従って前記充電ユニットの動作状態及び前記電力アダプタの動作状態を通知し、前記電力アダプタが第１の動作モードで動作し、且つ、前記温度収集器によって転送された最大温度値が所定の閾値以上であるとき、前記充電制御ユニットが、第２の動作モードにスイッチするよう前記電力アダプタに指示し、前記第１の動作モードに対応する充電パスを切断し、前記第２の動作モードに対応する充電パスに接続するよう前記充電ユニットに指示するイベントと、
を前記バッテリ充電装置に実行させる記憶媒体。
【発明の詳細な説明】
【技術分野】
【０００１】
本発明は、電子分野に関し、特にバッテリ充電装置及び方法、端末、電力アダプタ並びに記憶媒体に関する。
【背景技術】
【０００２】
技術が発達するに従って、端末は日常生活において必要なデバイスになってきた。ユーザは、端末バッテリの充電時間について懸念を増大させている。
【０００３】
充電時間を短縮するため、複数の高速充電解決策が提案されている。１つは高電圧充電解決策である。この解決策は、バッテリへの注入前に伝送線路電圧を増加させ、バッテリのフロントエンドにおける電圧を低減させることによって実現される。他の解決策は、高電流充電解決策である。この解決策は、充電電流を増加させることによって実現される。
【０００４】
しかしながら、熱がスイッチ電圧低減チップにおいて局所的に蓄積し、デバイス温度を増大させるため、高電圧充電解決策は、バッテリのフロントエンドにおけるスイッチ電圧低減チップの変換効率によって影響を受ける。熱は相対的に高いインピーダンス（例えば、コネクタ）によって部分的に蓄積し、端末の温度をコンスタントに上昇させるため、高電流充電解決策は、充電パス全体のインピーダンスによって影響を受ける。
【０００５】
従って、上記の高速充電解決策の何れが端末バッテリを充電するのに利用されても、局所的な熱蓄積の問題は必然的に引き起こされる。放熱が不適切であるとき、継続的な局所的熱蓄積は、デバイス性能に影響を与え、デバイス寿命を短くする。これはユーザの利用体験を弱める。
【発明の概要】
【０００６】
本発明の実施例は、端末バッテリの充電中のデバイス性能に対する局所的な熱蓄積の影響を低減し、デバイスの寿命を長くし、ユーザ経験を向上させるための充電装置及び方法、端末、電力アダプタ並びに記憶媒体を提供する。
【０００７】
上記の課題を実現するため、本発明の実施例は以下の技術的解決策を採用する。
【０００８】
本発明の第１の態様によると、バッテリ充電装置が提供される。当該装置は、端末におけるバッテリに電気接続され、充電制御ユニット、充電ユニット及び温度収集器を含む。
【０００９】
バッテリ充電装置が動作するとき、温度収集器は、充電ユニットにおける充電パスの温度を検出し、検出された温度を充電制御ユニットに転送する。充電ユニットは、パラレルに接続される少なくとも２つの充電パスを含む。充電ユニットは、充電制御ユニットの指示に従って、電力アダプタの動作モードに対応する充電パスに接続する。充電制御ユニットは、温度収集器、充電ユニット及びバッテリ充電装置に充電電力を供給する電力アダプタに電気接続される。充電制御ユニットは、温度収集器によって転送された温度に従って充電ユニットの動作状態及び電力アダプタの動作状態を通知する。電力アダプタが第１の動作モードで動作し、且つ、温度収集器によって転送された最大温度値が所定の閾値以上であるとき、充電制御ユニットは、第２の動作モードにスイッチするよう電力アダプタに指示し、第１の動作モードに対応する充電パスを切断し、第２の動作モードに対応する充電パスに接続するよう充電ユニットに指示する。
【００１０】
このようにして、端末バッテリを充電するとき、バッテリ充電装置は、充電パスの現在の温度をリアルタイムに検出する。検出された最大温度値が所定の閾値以上であるとき、電力アダプタの動作モード間のスイッチが実行され、電力アダプタの動作モードに対応する充電パスが、端末バッテリを充電するため接続される。異なる充電パスは、異なる熱蓄積位置を有する。従って、充電処理では、検出された温度に従って異なる充電パスにスイッチすることは、熱蓄積を消散可能である。これは、固定的な位置における持続的な局所的熱蓄積を回避する。放熱が不適切であるとき、熱がデバイスにおいて均等に分散され、これにより、デバイス性能が充電中の熱蓄積によって影響を受けることを防ぎ、デバイスの寿命を増大させる。従って、ユーザの利用体験が改善される。
【００１１】
第１の態様を参照して、可能な実現形態では、バッテリ充電装置は、充電ユニットにおける各充電パスの温度を検出するため、充電ユニットにおける各充電パスについて配置された温度収集器を含む。
【００１２】
このようにして、１つの温度収集器が１つの充電パスの温度を検出し、これにより、充電ユニットにおける充電パスの温度が正確に検出される。これは、高い検出精度をもたらし、これによって、バッテリ充電装置を上記の第１の態様の有益な効果をより良好に実現させる。
【００１３】
第１の態様又は上記の可能な実現形態を参照して、他の可能な実現形態では、最大温度値は、電力アダプタの第１の動作モードに対応する充電パスの温度である。
【００１４】
電力アダプタは第１の動作モードで動作するため、充電ユニットにおける第１の動作モードに対応する充電パスは接続状態にある。従って、充電パスの温度は最も高い。
【００１５】
所定の閾値は局所的熱蓄積の所定の許容可能な上限の温度リミットであることが分かりうる。検出された最大温度値が所定の閾値以上であるとき、それは、現在接続されている充電パスにおける熱蓄積が充電中に上限リミットに到達し、この位置における発熱が停止される必要があることを通知する。この場合、他の充電パスへのスイッチが、熱蓄積を消散するため実行される。
【００１６】
このようにして、電力アダプタが動作する動作モードに対応する充電パスの温度が所定の閾値以上であると判定したとき、充電制御ユニットは、第２の動作モードにスイッチするよう電力アダプタに指示し、第１の動作モードに対応する充電パスを切断し、第２の動作モードに対応する充電パスに接続するよう充電ユニットに指示し、これにより、充電ユニットの制御処理が実際の回路要求をより良好に充足する。従って、ユーザ装置はより良好に充足され、第１の態様の有利な効果がより良好に実現される。
【００１７】
第１の態様又は上記の可能な実現形態の何れか１つを参照して、他の可能な実現形態では、温度収集器によって転送され、充電制御ユニットによって受信された最大温度値が所定の閾値以上であるとき、充電制御ユニットがスイッチするよう電力アダプタに指示する第２の動作モードに対応する充電パスの発熱位置は、第１の動作モードに対応する充電パスの発熱位置から最も遠く、又は、充電制御ユニットがスイッチするよう電力アダプタに指示する第２の動作モードに対応する充電パスは、第１の動作モードに対応する充電パス以外の充電ユニットにおいて生成される最小の理論熱量を備えた充電パスである。
【００１８】
スイッチされた第２の動作モードに対応する充電パスが、充電中に第１の動作モードに対応する充電パスにおける熱蓄積を消散するのに利用される。従って、発熱位置が第１の動作モードに対応する充電パスの発熱位置から最も遠い充電パスへのスイッチ、又は、第１の動作モードに対応する充電パス以外に生成される最小の理論熱量を備えた充電パスへのスイッチは、第１の動作モードに対応する充電パスにおいて充電中に熱蓄積を最も効率的に消散可能である。従って、充電中に第１の動作モードに対応する充電パスにおける熱蓄積は、迅速に消散可能である。これは、デバイス性能及びデバイス寿命を更に向上させる。
【００１９】
第１の態様又は上記の可能な実現形態の何れか１つを参照して、他の可能な実現形態では、バッテリ充電装置の充電電力は外部の電力アダプタによって供給され、バッテリ充電装置は電力アダプタに電気接続される。充電制御ユニットはまず、電力アダプタによってサポートされる動作モードを取得してもよい。電力アダプタが少なくとも２つの動作モードをサポートしていると判定し、且つ、電力アダプタによってサポートされる少なくとも２つの動作モードに対応する充電パスが充電ユニットに存在すると判定した場合、充電制御ユニットは、温度収集器によって転送された温度に従って充電ユニットの動作状態及び電力アダプタの動作状態を通知することを実行する。
【００２０】
このようにして、本発明における解決策は電力アダプタ及びバッテリ充電装置について利用可能であるか否かがまず決定され、その後、本発明における方法が実行される。これは、電力アダプタがバッテリ充電装置に一致しないとき、電力アダプタ及び充電ユニットに対して実行される動作状態のスイッチによって引き起こされる通常充電の失敗を回避する。従って、充電処理の信頼性が保証され、ユーザ経験が向上する。
【００２１】
第１の態様又は上記の可能な実現形態の何れか１つを参照して、他の可能な実現形態では、充電制御ユニットは更に、バッテリ充電装置の初期的な充電状態において、第３の動作モードで動作するよう電力アダプタに指示し、第３の動作モードに対応する充電パスに接続するよう充電ユニットに指示するよう構成され、第３の動作モードは、電力アダプタによってサポートされる動作モードの何れか１つであり、第３の動作モードに対応する充電パスが、充電ユニットに存在する。
【００２２】
具体的には、バッテリ充電装置が、外部の電力アダプタが接続されていることを検出したとき、又は、バッテリ充電装置が、ＡＣ電力が入力されていることを検出したとき、バッテリ充電装置は、初期的な充電状態に対応する動作モードで動作するよう電力アダプタに指示し、動作モードに対応する充電パスに接続するよう充電ユニットに指示する。このようにして、電源オンに対する初期的な充電状態において、バッテリ充電装置は容易且つ迅速に動作を開始することが可能である。
【００２３】
第１の態様又は上記の可能な実現形態の何れか１つを参照して、他の可能な実現形態では、第３の動作モードは充電ユニットにおいて生成される最小の理論熱量を備えた充電パスに対応する電力アダプタの動作モードであるか、又は、第３の動作モードは電力アダプタにおいて予め設定される初期的な動作モードであるか、又は、第３の動作モードは、電力アダプタが最後に電源オフされる前に利用された動作モードである。
【００２４】
このようにして、第３の動作モードの異なる具体的な内容を予め設定することは、異なる有利な効果を実現可能である。これは、具体的には、以下を含みうる。
【００２５】
第３の動作モードが充電ユニットにおいて生成される最小の理論熱量を備えた充電パスに対応する電力アダプタの動作モードである場合、すなわち、初期的な充電状態において、バッテリ充電装置が生成される最小の熱量を備えた充電パスに接続することを選択した場合、バッテリ充電装置において生成される熱量が最小とされ、バッテリ充電装置の信頼性が向上する。
【００２６】
第３の動作モードが電力アダプタにおいて予め設定される初期的な動作モードであるか、又は、第３の動作モードが電力アダプタが最後に電源オフされる前に利用された動作モードである場合、電源オンに対する初期的な充電状態において、バッテリ充電装置は、容易且つ迅速に動作を開始可能である。
【００２７】
第１の態様又は上記の可能な実現形態の何れか１つを参照して、他の可能な実現形態では、バッテリ充電装置の充電電力は外部の電力アダプタによって供給され、バッテリ充電装置は電力アダプタに電気接続される。バッテリ充電装置は更に、バッテリ充電装置と電力アダプタとの間の電気接続に利用される通信ポートを含む。充電ユニットの入力端は、電力アダプタによって供給される充電電力を受け取るために通信ポートに接続される。充電制御ユニットの制御端は、電力アダプタの動作状態を通知するため、通信ポートに接続される。
【００２８】
第１の態様又は上記の可能な実現形態の何れか１つを参照して、他の可能な実現形態では、バッテリ充電装置は電力アダプタを含み、バッテリ充電装置は更に、外部の端末バッテリとの電気接続に利用されるバッテリポートを含む。充電ユニットの出力端は、バッテリポートを利用することによって端末バッテリの電極に接続するため、バッテリポートに接続される。すなわち、端末バッテリの電極がバッテリポートに接続されるとき、充電ユニットと端末バッテリとの間の電気接続が実現される。
【００２９】
本発明の第２の態様によると、電力アダプタが提供される。電力アダプタは、第１の態様又は第１の態様の可能な実現形態の何れか１つにおけるバッテリ充電装置に電気接続され、バッテリ充電装置に充電電力を供給する。電力アダプタは、少なくとも２つの動作モードをサポートする。電力アダプタは、通信インタフェース、切り替えスイッチ、通信モジュール及び電力モジュールを含む。通信モジュールは、通信インタフェースを利用することによってバッテリ充電装置と通信し、バッテリ充電装置によって送信され、電力アダプタの動作モードを通知するのに利用される指示情報を受信する。電力モジュールは、通信インタフェースを利用することによってバッテリ充電装置に充電電力を供給する。切り替えスイッチは、電力モジュールの動作モードを制御する。通信モジュールは更に、電力モジュールの動作モードを制御するため、バッテリ充電装置によって送信された受信した指示情報に従って切り替えスイッチの動作状態の間でスイッチすることを実行する。
【００３０】
本発明において提供される電力アダプタは、バッテリ充電装置との電気接続を介しバッテリ充電装置に充電電力を供給し、検出された充電パスの温度に従って電力アダプタの動作状態間でのスイッチにおいてバッテリ充電装置と連携するため、バッテリ充電装置の指示に従って動作状態間でスイッチする。充電処理では、検出された温度に従って異なる充電パスへのスイッチにおいてバッテリ充電装置と連携することは、熱蓄積を消散可能である。これは、固定的な位置における持続的な局所的熱蓄積を回避する。放熱が不適切であるとき、デバイス性能が充電中に熱蓄積によって影響を受けることを回避し、デバイス寿命を増大させるため、熱はデバイスにおいて均等に分散される。従って、ユーザの利用体験は向上する。
【００３１】
第３の態様によると、第１の態様又は第１の態様の可能な実現形態の何れか１つにおいて提供されるバッテリ充電装置に適用されるバッテリ充電装置が提供され、バッテリ充電装置は、パラレルに接続される少なくとも２つの充電パスを含み、端末バッテリを充電するよう構成され、当該方法は、
バッテリ充電装置における充電パスの温度を検出するステップと、バッテリ充電装置に充電電力を供給する電力アダプタが第１の動作モードで動作し、且つ、検出された最大温度値が所定の閾値以上であるとき、第２の動作モードにスイッチするよう電力アダプタに指示し、第１の動作モードに対応する充電パスを切断し、第２の動作モードに対応する充電パスに接続するステップとを含む。
【００３２】
このようにして、端末バッテリを充電するとき、バッテリ充電装置は、充電パスの現在の温度をリアルタイムに検出する。検出された最大温度値が所定の閾値以上であるとき、電力アダプタの動作モード間のスイッチが実行され、電力アダプタの動作モードに対応する充電パスが、端末バッテリを充電するため接続される。異なる充電パスは、異なる熱蓄積位置を有する。従って、充電処理では、検出された温度に従って異なる充電パスにスイッチすることは、熱蓄積を消散可能である。これは、固定的な位置における持続的な局所的熱蓄積を回避する。放熱が不適切であるとき、熱がデバイスにおいて均等に分散され、これにより、デバイス性能が充電中の熱蓄積によって影響を受けることを防ぎ、デバイスの寿命を増大させる。従って、ユーザの利用体験が改善される。
【００３３】
上記から、第３の態様において提供されるバッテリ充電方法は、第１の態様において提供されるバッテリ充電装置によって実行され、従って、第１の態様又は第１の態様の可能な実現形態の何れか１つと同じ有利な効果を実現可能である。詳細はここでは再説明されない。
【００３４】
第４の態様によると、第１の態様又は第１の態様の可能な実現形態の何れか１つにおけるバッテリ充電装置及びバッテリを含む端末が提供される。
【００３５】
本発明の第４の態様において提供される端末は、第１の態様又は第１の態様の可能な実現形態の何れか１つにおけるバッテリ充電装置を含む。従って、端末のバッテリは、第１の態様又は第１の態様の可能な実現形態の何れか１つと同じ有利な効果を実現するため、第１の態様又は第１の態様の可能な実現形態の何れか１つにおけるバッテリ充電装置によって充電可能である。詳細はここでは再説明されない。
【００３６】
本発明の第５の態様によると、１つ以上のプログラムを記憶する不揮発性コンピュータ可読記憶媒体であって、１つ以上のプログラムは指示を含み、充電制御ユニット、充電ユニット及び温度収集器を含む、第１の態様又は第１の態様の可能な実現形態の何れか１つにおけるバッテリ充電装置によって実行されると、当該指示は、
温度収集器が、充電ユニットにおける充電パスの温度を検出し、検出された温度を充電制御ユニットに転送するイベントと、
充電ユニットが、充電制御ユニットの指示に従って、電力アダプタの動作モードに対応する充電パスに接続するイベントと、ここで、充電ユニットは、パラレルに接続される少なくとも２つの充電パスを含み、充電制御ユニットが、温度収集器によって転送された温度に従って充電ユニットの動作状態及び電力アダプタの動作状態を通知し、電力アダプタが第１の動作モードで動作し、且つ、温度収集器によって転送された最大温度値が所定の閾値以上であるとき、充電制御ユニットが、第２の動作モードにスイッチするよう電力アダプタに指示し、第１の動作モードに対応する充電パスを切断し、第２の動作モードに対応する充電パスに接続するよう充電ユニットに指示するイベントと、をバッテリ充電装置に実行させる記憶媒体が提供される。
【００３７】
１つ以上のプログラムを格納し、本発明の第５の態様において提供される不揮発性コンピュータ可読記憶媒体は、第１の態様又は第１の態様の可能な実現形態の何れか１つと同じ有利な効果を実現するため、第１の態様又は第１の態様の可能な実現形態の何れか１つにおけるバッテリ充電装置が可読記憶媒体に格納されているプログラム指示を実行すると、第１の態様又は第１の態様の可能な実現形態の何れか１つにおけるバッテリ充電装置の機能を実現可能である。
【図面の簡単な説明】
【００３８】
【図１】本発明の実施例によるバッテリ充電装置の適用シナリオの概略図である。
【図２】本発明の実施例による他のバッテリ充電装置の適用シナリオの概略図である。
【図３】本発明の実施例によるバッテリ充電装置の概略的な構成図である。
【図３ａ】本発明の実施例による他のバッテリ充電装置の概略的な構成図である。
【図４】本発明の実施例による充電制御ユニットの概略的な構成図である。
【図５】本発明の実施例による電力アダプタの概略的な構成図である。
【図６】本発明の実施例による更なる他のバッテリ充電装置の概略的な構成図である。
【図７】本発明の実施例による更なる他のバッテリ充電装置の概略的な構成図である。
【図８】本発明の実施例によるバッテリ充電方法の概略的なフローチャートである。
【図９】本発明の実施例によるバッテリ充電方法の概略的なフローチャートである。
【図１０】本発明の実施例による他のバッテリ充電方法の概略的なフローチャートである。
【図１１】本発明の実施例による端末の概略的な構成図である。
【図１２】本発明の実施例によるＵＥの概略的な構成図である。
【発明を実施するための形態】
【００３９】
以下は、本発明の実施例における添付図面を参照して本発明の実施例における技術的解決策を明確且つ完全に説明する。明らかに、説明される実施例は本発明の実施例の全てでなく単なる一部である。創作的な努力なく本発明の実施例に基づき当業者によって取得される他の全ての実施例は、本発明の保護範囲内に属する。
【００４０】
これに基づき、本発明の基本的原理は以下である。パラレルに接続される２つ以上の充電パスがバッテリ充電装置に配置され、充電パスは電力アダプタの異なる動作モードに対応している。バッテリが電力アダプタを利用することによって充電されるとき、充電パスの温度が検出される。検出された最大温度が所定の閾値以上であるとき、電力アダプタは他の動作モードにスイッチするよう指示され、電力アダプタの動作モードに対応する充電パスが、以前に使用された充電パスにおける熱蓄積を消散させるために接続される。これは、デバイス内の１つの場所における持続的な熱蓄積によって引き起こされる不良なデバイス性能及び短いデバイス寿命を回避し、ユーザの利用体験を良好に向上させる。
【００４１】
図１は、本発明の実施例によるバッテリ充電装置１０の適用シナリオを示す。このシナリオでは、本発明の本実施例において提供されるバッテリ充電装置１０は、端末２０に含まれ、バッテリ充電装置１０の充電電力は、外部の電力アダプタによって供給され、これにより、バッテリ充電装置１０は端末２０のバッテリを充電する。
【００４２】
図２は、本発明の実施例によるバッテリ充電装置１０の他の適用シナリオを示す。このシナリオでは、本発明の本実施例において提供されるバッテリ充電装置１０は、独立したバッテリを充電するよう構成されるシートタイプの充電器である。バッテリ充電装置１０は電力アダプタを含み、ＡＣ電力がバッテリ充電装置１０に直接入力される。バッテリ充電装置１０は、バッテリを充電するため、端末２０のバッテリのみに接続される。
【００４３】
本発明の実施例では、端末はユーザ装置（User  Equipment,  UE）、移動局（Mobile  Station,  MS）、移動端末（Mobile  Terminal）、コンピュータ、マイクロコンピュータなどとして参照されうることが理解されるべきである。端末は、無線アクセスネットワーク（Radio  Access  Network,  RAN）を利用することによって１つ以上のコアネットワークと通信しうる。例えば、端末は、携帯電話（“セルラ”電話としても参照される）又は移動端末に備えられるコンピュータであってもよい。例えば、端末は、あるいは、ポータブル移動装置、ポケットサイズの移動装置、携帯移動装置、コンピュータ組み込み移動装置又は車両内移動装置であってもよく、ここで、移動装置は、無線アクセスネットワークと音声及び／又はデータをやりとりする。これは本発明において限定されない。例えば、端末はまた、マルチキャリア機能及び有線アクセスを備えた端末を含む。
【００４４】
図３は、本発明の実施例によるバッテリ充電装置１０の概略的な構成図である。バッテリ充電装置１０は、端末におけるバッテリに電気接続され、バッテリ充電装置１０は、充電制御ユニット１０１、充電ユニット１０２及び温度収集器１０３を少なくとも含む。充電ユニット１０２は、少なくとも２つの充電パスを含む。少なくとも２つの充電パスはパラレルに接続される。充電ユニット１０２は、電力アダプタ１０２に電気接続される。充電制御ユニット１０１は、温度収集器１０３、充電ユニット１０２及び電力アダプタ１０４に電気的に接続される。
【００４５】
充電ユニット１０２に含まれる少なくとも２つの充電パスについて、本発明の実施例における添付図面は、例えば、充電パス１０２１及び充電パス１０２２を示すことが留意されるべきである。しかしながら、これは充電ユニット１０２における充電パスの数を限定しない。
【００４６】
具体的には、図３ａに示されるように、充電ユニット１０２の被制御端は、充電制御ユニット１０１の充電パス制御端に接続される。充電ユニット１０２の入力端は、電力アダプタ１０４の充電電力出力端に接続される。充電ユニット１０２の出力端は、端末バッテリ２０１に接続される。温度収集器１０３は、充電制御ユニット１０１のサンプリング端に接続される。充電制御ユニット１０１の動作モード制御端は、電力アダプタ１０４の被制御端に接続される。電力アダプタ１０４は、バッテリ充電装置１０に充電電力を供給する。
【００４７】
以下は、図３を参照してバッテリ充電装置１０の各構成パーツを具体的に説明する。
【００４８】
温度収集器１０３は、充電ユニット１０２における充電パスの温度を検出し、検出された温度を充電制御ユニット１０１に転送するよう構成される。
【００４９】
具体的には、温度収集器１０３は、温度センサであってもよいし、サーミスタ（負の温度係数（Negative  Temperature  Coefficient,  NTC）又は正の温度係数（Positive  Temperature  Coefficient,  PTC））であってもよいし、あるいは、熱電対、ブリッジ又は温度を検出可能な他のデバイスであってもよい。温度収集器１０３の具体的なタイプは、本発明の本実施例では限定されない。
【００５０】
任意的には、温度収集器１０３は、検出された実際の温度値を転送したり、検出された実際の温度値に対してアナログ・デジタル変換（Analog-to-digital  converter,  ADC）を実行することによって取得される値を転送したり、あるいは、他の値を転送してもよい。温度収集器１０３によって転送される温度の具体的な形式及び内容は、本発明の本実施例では限定されない。
【００５１】
任意的には、バッテリ充電装置１０は、１つのみの温度収集器１０３を含んでもよい。
【００５２】
任意的には、バッテリ充電装置１０は、充電ユニット１０２における各充電パスの温度を別々に検出するため、充電ユニット１０２における各充電パスについて配置された温度収集器１０３を含んでもよい。すなわち、温度収集器１０３の数は充電パスの数と同じである。図３は、例えば、１つの温度収集器１０３しか示していないことが留意されるべきである。これは、バッテリ充電装置１０における温度収集器１０３の数を限定しない。
【００５３】
さらに、バッテリ充電装置１０が充電ユニット１０２における各充電パスについて配置された温度収集器１０３を含むとき、温度収集器１０３は、温度が温度収集器１０３によってモニタされた充電パスにおける最も高いコンポーネントのそばに配置されてもよい。
【００５４】
実際の適用では、バッテリ充電装置１０における温度収集器の具体的な位置は、実際の要求に従って設定されてもよいことが留意されるべきである。温度収集器１０３の位置は、本発明の本実施例では具体的には限定されない。
【００５５】
充電ユニット１０２は、充電制御ユニット１０１の指示に従って、端末バッテリを充電するため、電力アダプタ１０４の動作モードに対応する充電パスに接続する。
【００５６】
充電パスは、従来の一般的な充電パスであってもよい。あるいは、充電パスは、高電圧充電パスであってもよく、入力端から出力端に直列に接続される保護回路及び電圧ステップダウン回路を含んでもよい。あるいは、充電パスは、高電流充電パスであってもよく、スイッチ回路を含んでもよい。おそらく、充電パスは、あるいは、他の充電パスであってもよい。充電パスの具体的タイプは、本発明の本実施例では具体的には限定されない。
【００５７】
具体的には、電力アダプタ１０４の各動作モードについて、バッテリ充電装置１０の充電ユニット１０２には対応する所定の充電パスがある。所定の対応関係の内容は、本発明では具体的には限定されず、実際の要求に従って設定されてもよい。
【００５８】
例えば、高電流充電動作モードは、高電流が出力される充電モードであり、従って、高電流充電パスに対応する。高電圧動作モードは、高電圧が出力される充電モードであり、従って、高電圧充電パスに対応する。
【００５９】
高電流充電モード又は高電圧充電モードは、従来の一般的な充電モードに対して相対的である。出力電流が従来の一般的な充電モードにおけるものより高い充電モードが、高電流充電モードとして参照される。出力電圧が従来の一般的な充電モードにおけるものより高い充電モードが、高電圧充電モードとして参照される。
【００６０】
例えば、従来の一般的な充電モードにおいては、出力電圧が５ボルトであって、出力電流が０．７アンペアであることが仮定される。この場合、出力電圧が５ボルトであって、出力電流が２アンペアである充電モードは高電流充電モードであり、出力電圧が７ボルトであって、出力電流が０．７アンペアである充電モードは高電圧充電モードである。
【００６１】
任意的には、電力アダプタ１０４の動作モードと充電ユニット１０２における充電パスとの間の対応関係は、充電制御ユニット１０１に記憶されてもよい。
【００６２】
充電制御ユニット１０１は、温度収集器１０３によって転送された温度に従って充電ユニット１０２の動作状態及び電力アダプタ１０４の動作状態を通知する。具体的には、電力アダプタ１０４が第１の動作モードで動作し、且つ、温度収集器１０３によって転送された最大温度値が所定の閾値以上であるとき、充電制御ユニット１０１は、第２の動作モードにスイッチするよう電力アダプタ１０４に指示し、第１の動作モードに対応する充電パスを切断し、第２の動作モードに対応する充電パスに接続するよう充電ユニット１０２に指示する。
【００６３】
具体的には、電力アダプタ１０４に動作モードスイッチ指示情報を送信してもよい。動作モードスイッチ指示情報は、第２の動作モードの識別子を含み、現在の第１の動作モードから、スイッチ指示情報に含まれる動作モード識別子によって通知される第２の動作モードにスイッチするよう電力アダプタ１０４に指示するのに利用される。動作モードスイッチ指示情報を受信した後、電力アダプタ１０４は、動作モードスイッチ指示情報の指示に従って第２の動作モードにスイッチしてもよい。
【００６４】
具体的には、充電制御ユニット１０１は、第１の動作モードに対応する現在接続する充電パスを切断し、第２の動作モードに対応する充電パスに接続するよう充電ユニット１０２を制御する。
【００６５】
任意的には、充電制御ユニット１０１が充電パスを切断又は接続するよう充電ユニット１０２を制御するため、スイッチコンポーネントが充電ユニット１０２に配置されてもよい。スイッチコンポーネントは、全ての充電パスに接続され、充電パスの接続又は切断を別々に制御可能である。スイッチコンポーネントは、充電パスの接続又は切断を制御するため、充電制御ユニット１０１の指示に従って接続又は切断状態で動作する。
【００６６】
本発明の本実施例では、接続は接続、伝導又は電気接続として理解されうる。
【００６７】
例えば、充電制御ユニット１０１は、制御端を有する単極双投スイッチを利用することによって充電パスの接続又は切断を制御する。充電ユニット１０２が２つの充電パス（充電パス１０２１及び充電パス１０２２）を含むとき、単極双投スイッチの制御端は、充電制御ユニット１０１の充電パス制御端に電気接続される。単極双投スイッチの一方の端は充電ユニットの入力単に電気接続され、他方の２つの端はそれぞれ２つの充電パスに電気接続される。充電制御ユニット１０１の指示によると、単極双投スイッチは、充電ユニット１０２の入力端を充電パス１０２１に電気接続するか、あるいは、充電ユニット１０２の入力端を充電パス１０２２に電気接続する。
【００６８】
任意的には、充電制御ユニット１０１が充電パスを切断又は接続するよう充電ユニット１０２を制御するため、実現形態では、各充電パスは対応する制御有効化端を有する。充電制御ユニット１０１は、各充電パスの接続又は切断を制御するため、充電ユニット１０２における各充電パスの制御有効化端を制御してもよい。
【００６９】
さらに、電力アダプタ１０４が第１の動作モードで現在動作しているとき、最大温度値は、第１の動作モードに対応する充電パスの温度収集器１０３によって検出された温度である。第１の動作モードで現在動作しているとき、電力アダプタ１０４は、第１の動作モードに対応する充電パスを利用することによって充電電流を送る。従って、充電パスの温度は最も高い。
【００７０】
具体的には、図４に示されるように、充電制御ユニット１０１は、プロセッサ１０１１、メモリ１０１２及び通信バス１０１３を含んでもよい。メモリ１０１２は、プログラム又は指示を記憶する。プロセッサ１０１１は、メモリ１０１２に記憶されるプログラム又は指示を呼び出す。
【００７１】
メモリ１０１２は、プログラム又は指示を記憶するよう構成される。プロセッサ１０１１は、本発明の本実施例において記録された機能を実現するため、メモリに格納されるプログラム又は指示を実行する。メモリ１０１２は、ランダムアクセスメモリ（random-access  memory,  RAM）などの揮発性メモリ（英語：volatile  memory）、読み出し専用メモリ（read-only  memory,  ROM）などの不揮発性メモリ（non-volatile  memory）、フラッシュメモリ（flash  memory）、ハードディスク（hard  disk  drive,  HDD）若しくはソリッドステートドライブ（solid-state  drive,  SSD）又は上記タイプのメモリの組み合わせであってもよい。
【００７２】
プロセッサ１０１１は、充電制御ユニット１０１の制御センタであり、中央処理ユニット（central  processing  unit,  CPU）又は外部のＣＰＵであってもよいし、あるいは、特定用途向け集積回路（Application  Specific  Integrated  Circuit,  ASIC）であってもよいし、あるいは、例えば、１つ以上のマイクロプロセッサ（digital  signal  processor,  DSP）又は１つ以上のフィールドプログラマブルゲートアレイ（Field  Programmable  Gate  Array,  FPGA）など、本発明の実施例を実現する１つ以上の集積回路として構成されてもよい。プロセッサ１０１１は、メモリ１０１２に格納されるプログラムコードを実行することによって、また、メモリ１０１２に格納されるデータを呼び出すことによって、充電制御ユニット１０１の各種機能を実現してもよい。
【００７３】
通信バス１０１３は、工業規格アーキテクチャ（Industry  Standard  Architecture,  ISA）バス、周辺コンポーネントインターコネクト（Peripheral  Component,  PCI）バス、拡張工業規格アーキテクチャ（Extended  Industry  Standard  Architecture,  EISA）バスなどであってもよい。バス１０１３は、アドレスバス、データバス、制御バスなどに分類されてもよい。表示の簡単化のため、バス１０１３は、図４において１つのみの太線を利用することによって表現される。しかしながら、これは、１つのみのバス又は１つのタイプのみのバスしかないことを示すものでない。
【００７４】
任意的には、所定の閾値は、指定された閾値であってもよい。閾値は、動作状態スイッチを実行するための所定の収集された温度の上限であってもよい。あるいは、閾値は、現在の周囲の温度プラス温度上昇閾値であってもよい。おそらく、所定の閾値は、あるいは、他の閾値であってもよい。所定の閾値の設定原理及び具体的な値は、本発明では限定されない。
【００７５】
所定の閾値及び温度上昇閾値の具体的な値は実際の要求に従って設定されうることが留意されるべきである。所定の閾値及び温度上昇閾値の値は、本発明の本実施例では具体的には限定されない。
【００７６】
さらに、現在の周囲の温度は、バッテリ充電装置１０に配置され、周囲の温度を収集するよう構成される温度収集器によって取得されてもよいし、あるいは、周囲の温度を収集する外部の温度収集器によって取得されてもよい。現在の周囲の温度を取得する方式は、本発明の本実施例では具体的には限定されない。
【００７７】
任意的には、電力アダプタ１０４の第２の動作モードは、第１の動作モードを除く電力アダプタ１０４によってサポートされる動作モードの何れか１つである。
【００７８】
さらに、好ましくは、電力アダプタ１０４の第２の動作モードに対応する充電パスの発熱位置は、電力アダプタ１０４の第１の動作モードに対応する充電パスの発熱位置から最も遠い。あるいは、電力アダプタ１０４の第２の動作モードに対応する充電パスは、電力アダプタ１０４の第１の動作モードに対応する充電パス以外、充電ユニット１０２において生成される最小の理論熱量を備えた充電パスである。
【００７９】
具体的には、充電制御ユニット１０１は、充電パス発熱情報を予め記憶してもよい。充電パス発熱情報は、各充電パスの発熱位置及び／又は各充電パスにおいて生成される理論熱量を含む。第１の動作モードで動作するとき、電力アダプタは、第１の動作モードに対応する第１の充電パスを利用することによって充電電流を送る。温度収集器１０３によって転送される最大温度値が所定の閾値以上であるとき、充電制御ユニット１０１は、予め記憶される充電パス発熱情報をクエリすることによって第２の充電パスを決定する。第２の充電パスの発熱位置は、第１の充電パスの発熱位置から最も遠い。その後、充電制御ユニット１０１は、第２の充電パスに対応する第２の動作モードにスイッチするよう電力アダプタ１０４に指示する。
【００８０】
任意的には、第１の動作モードで動作するとき、電力アダプタは、第１の動作モードに対応する第１の充電パスを利用することによって充電電流を送る。温度収集器１０３によって転送される最大温度値が所定の閾値以上であるとき、充電制御ユニット１０１は、予め記憶される充電パス発熱情報をクエリすることによって第２の充電パスを決定する。第２の充電パスは、第１の充電パス以外で生成される最小の理論熱量を備えた充電パスである。その後、充電制御ユニット１０１は、第２の充電パスに対応する第２の動作モードにスイッチするよう電力アダプタ１０４に指示する。
【００８１】
さらに、充電ユニット１０２が２つのみの充電パスを含むとき、第２の動作モードに対応する充電パスは、第１の動作モードに対応する充電パス以外の充電パスである。
【００８２】
さらに、任意的には、バッテリ充電装置１０が電力アダプタ１０４に電気接続されるとき、充電制御ユニット１０１は更に、電力アダプタ１０４によってサポートされる動作モードを取得し、電力アダプタ１０４が少なくとも２つの動作モードをサポートしていると判定し、且つ、電力アダプタ１０４によってサポートされる少なくとも２つの動作モードに対応する充電パスが充電ユニット１０２に存在すると判定した場合、温度収集器１０３によって転送された温度に従って充電ユニット１０２の動作状態及び電力アダプタ１０４の動作状態を通知することを実行するよう構成される。具体的には、電力アダプタ１０４が第１の動作モードで動作し、温度収集器１０３によって転送された最大温度値が所定の閾値以上であるとき、充電制御ユニット１０１は、第２の動作モードにスイッチするよう電力アダプタ１０４に指示し、第１の動作モードに対応する充電パスを切断し、第２の動作モードに対応する充電パスに接続するよう充電ユニット１０２に指示する。
【００８３】
さらに、充電制御ユニット１０１は更に、バッテリ充電装置１０の初期的な充電状態において、第３の動作モードで動作するよう電力アダプタ１０４に指示し、第３の動作モードに対応する充電パスに接続するよう充電ユニット１０２に指示するよう構成されてもよい。
【００８４】
第３の動作モードは、電力アダプタ１０４によってサポートされる動作モードの何れか１つであり、第３の動作モードに対応する充電パスが、充電ユニット１０２に存在する。
【００８５】
具体的には、バッテリ充電装置１０が外部の電力アダプタ１０４が接続されていると検出したとき、あるいは、バッテリ充電装置１０がＡＣ電力が入力されていると検出したとき、バッテリ充電装置１０は、初期的な充電状態に対応する動作モードで動作するよう電力アダプタに指示し、動作モードに対応する充電パスに接続するよう充電ユニットに指示する。
【００８６】
初期的な充電状態は、ランダムに決定されてもよいし、所定の充電状態であってもよいし、あるいは、最後の充電中の充電状態であってもよい。
【００８７】
例えば、初期的な充電状態が所定の第１の充電状態であるとき、第１の充電状態に対応する電力アダプタの動作モードは第１の動作モードである。この場合、バッテリ充電装置が外部の電力アダプタが接続されていると検出すると、バッテリ充電装置は、第１の動作モードで動作するよう電力アダプタに指示し、第１の動作モードに対応する充電パスに接続するよう充電ユニット１０２に指示する。具体的な初期的充電状態は、本発明の本実施例では限定されず、実際の設計要求に従って決定されてもよい。
【００８８】
さらに、図５に示されるように、バッテリ充電装置１０の充電電力が外部の電力アダプタ１０４によって供給される場合、電力アダプタ１０４は、少なくとも２つの動作モードをサポートし、電力アダプタ１０４は、通信インタフェース１０４３、切り替えスイッチ１０４２、通信モジュール１０４３及び電力モジュール１０４４を含む。通信モジュール１０４３は、通信インタフェース１０４１を利用することによってバッテリ充電装置１０と通信する。切り替えスイッチ１０４２は、通信モジュール１０４３によって受信され、バッテリ充電装置１０によって送信される動作モードスイッチ指示情報に従って電力モジュール１０４４の出力電力をスイッチする。電力モジュール１０４４は、ＡＣ電源に接続され、電力モジュール１０４４は、通信インタフェース１０４１を利用することによってバッテリ充電装置１０に充電電力を供給する。
【００８９】
具体的には、通信モジュール１０４３は、通信インタフェース１０４１を利用することによってバッテリ充電装置１０と通信する。温度収集器１０３によって充電制御ユニット１０２に転送される最大温度値が所定の閾値以上であるとき、バッテリ充電装置１０は、現在の第１の動作モードから第２の動作モードにスイッチするよう電力アダプタ１０４に指示するのに利用される情報を、通信インタフェース１０４１を利用することによって通信モジュール１０４３に送信する。通信モジュール１０４３は、バッテリ充電装置１０によって送信された情報に従って、電力モジュール１０４４の動作モードを制御するよう切り替えスイッチ１０４２の動作状態を通知する。電力モジュール１０４４は、通信インタフェース１０４１を利用することによって、バッテリ充電装置１０に充電電力を供給する。
【００９０】
バッテリ充電装置１０の充電電力が外部の電力アダプタ１０４によって供給される場合、電力アダプタ１０４の充電電力出力端と被制御端との双方が通信インタフェース１０４１に含まれうることが留意されるべきである。おそらく、あるいは、ポートは電力アダプタ１０４の充電電力出力端と被制御端とについて別々に配置されてもよい。
【００９１】
任意的には、バッテリ充電装置１０の異なる動作シナリオでは、電力アダプタ１０４は、バッテリ充電装置１０の外部であってもよいし、あるいは、バッテリ充電装置１０に含まれてもよい。
【００９２】
さらに、図６に示されるように、バッテリ充電装置１０の充電電力が外部の電力アダプタ１０４によって供給される場合、バッテリ充電装置１０は更に、通信ポート１０５を含んでもよい。バッテリ充電装置１０は、通信インタフェース１０５を利用することによって電力アダプタ１０４に電気接続される。充電ユニット１０２の入力端は、通信ポート１０５を利用することによって電力アダプタ１０４の充電電力出力端に接続されるか、あるいは、充電制御ユニット１０１の動作モード制御端は、通信インタフェース１０５を利用することによって電力アダプタ１０４の被制御端に接続される。
【００９３】
さらに、図７に示されるように、バッテリ充電装置１０が電力アダプタ１０４を含む場合、バッテリ充電装置１０は更に、端末バッテリに接続するよう構成されるバッテリポート１０６を含んでもよい。
【００９４】
このようにして、端末バッテリを充電するとき、本発明の本実施例において提供されるバッテリ充電装置１０は、充電パスの現在の温度をリアルタイムに検出する。検出した最大温度値が所定の閾値以上であるとき、電力アダプタの動作モード間のスイッチが実行され、電力アダプタの動作モードに対応する充電パスが、端末バッテリを充電するため接続される。異なる充電パスは異なる熱蓄積位置を有する。従って、充電処理において、検出された温度に従って異なる充電パスにスイッチすることは、熱蓄積を消散可能である。これは、固定的な位置における持続的な局所的熱蓄積を回避する。熱消散が不適切であるとき、デバイス性能が充電中の熱蓄積によって影響を受けることを防ぎ、デバイス寿命を増加させるため、熱はデバイスにおいて均等に分散される。従って、ユーザの利用体験が向上する。
【００９５】
さらに、本発明の実施例は、上記のバッテリ充電装置１０に適用されるバッテリ充電方法を提供する。
【００９６】
図８を参照して、当該方法は以下のステップを含んでもよい。
【００９７】
Ｓ８０１  バッテリ充電装置における充電パスの温度を検出する。
【００９８】
ステップＳ８０１が実行されると、１つの温度収集器が、充電パスの温度を検出するため、バッテリ充電装置に配置されてもよいし、あるいは、少なくとも２つの温度収集器が、充電パスの温度を別々に検出するため配置されてもよい。あるいは、現在接続される充電パスの温度が検出されてもよい。ステップＳ８０１を実行する処理は、本発明の本実施例では具体的には限定されない。
【００９９】
具体的には、ステップＳ８０１はリアルタイムに実行されてもよいし、あるいは、周期的に実行されてもよい。ステップＳ８０１が実行される時間は、本発明では具体的には限定されない。
【０１００】
さらに、ステップＳ８０１が周期的に実行されるとき、周期的なインターバルが実際の要求に従って設定されてもよい。ステップＳ８０１を周期的に実行するための周期的なインターバルはまた、本発明の本実施例では具体的には限定されない。
【０１０１】
Ｓ８０２  バッテリ充電装置に充電電力を供給する電力アダプタが第１の動作モードで動作し、且つ、検出された最大温度値が所定の閾値以上であるとき、第２の動作モードにスイッチするよう電力アダプタに指示し、第１の動作モードに対応する充電パスを切断し、第２の動作モードに対応する充電パスに接続する。
【０１０２】
第２の動作モードは、第１の動作モード以外の電力アダプタによってサポートされる動作モードの何れか１つである。
【０１０３】
好ましくは、第２の動作モードに対応する充電パスの発熱位置は、第１の動作モードに対応する充電パスの発熱位置から最も遠い。あるいは、第２の動作モードに対応する充電パスは、第１の動作モードに対応する充電パス以外のバッテリ充電装置において生成される最小の理論熱量を備えた充電パスである。
【０１０４】
さらに、電力アダプタが２つのみの動作モードをサポートするとき、第２の動作モードは第１の動作モード以外の動作モードである。
【０１０５】
最大温度値は、検出処理において検出される最も高い温度の値である。
【０１０６】
好ましくは、電力アダプタがバッテリ充電装置に電力を供給するため第１の動作モードで動作するとき、収集された現在の最大温度値は、バッテリ充電装置に充電電力を供給する電力アダプタの現在の動作モード（第１の動作モード）に対応する充電パスの温度である。
【０１０７】
所定の閾値が詳細に説明されたことが留意されるべきであり、詳細はここでは再説明されない。
【０１０８】
第２の動作モードを選択する方式はバッテリ充電装置１０の機能説明において詳細に説明されていることが留意されるべきであり、詳細はここでは再説明されない。
【０１０９】
さらに、図９に示されるように、バッテリ充電装置の充電電力が外部の電力アダプタによって供給される場合、ステップＳ８０２が実行される前に、当該方法は更に以下のステップを含んでもよい。
【０１１０】
Ｓ８０３  電力アダプタによってサポートされる動作モードを取得する。
【０１１１】
電力アダプタによってサポートされる動作モードは、電力アダプタとの通信を介し取得されうる。
【０１１２】
さらに、電力アダプタが少なくとも２つの動作モードをサポートし、且つ、電力アダプタによってサポートされる少なくとも２つの動作モードに対応する充電パスがバッテリ充電装置に存在すると判定された場合、ステップＳ８０２が実行される。
【０１１３】
さらに、電力アダプタが１つのみの動作モードしかサポートしていないと判定された場合、電力アダプタは、サポートされる動作モードで動作するよう指示される。電力アダプタが１つのみの動作モードしかサポートせず、検出された最大温度値が所定の閾値以上であるとき、ユーザは、ディスプレイインタフェースを利用することによってアラートされ、好ましくは、充電パスが切断されるか、あるいは、充電器の電力出力がオフされる。
【０１１４】
ステップＳ８０３がステップＳ８０２の前に又はステップＳ８０１の後に実行されてもよいことが留意されるべきである。ステップＳ８０３及びステップＳ８０１の実行順序は、本発明の本実施例では限定されない。図９は、１つのみの実行順序を示す。しかしながら、これは実行順序を限定しない。
【０１１５】
さらに、当該方法は更に、
バッテリ充電装置の初期的な充電状態において、第３の動作モードで動作するよう電力アダプタに指示し、第３の動作モードに対応する充電パスに接続するステップを含んでもよい。
【０１１６】
第３の動作モードは、電力アダプタによってサポートされる動作モードの何れか１つであり、第３の動作モードに対応する充電パスが、バッテリ充電装置に存在する。
【０１１７】
具体的には、バッテリ充電装置１０が外部の電力アダプタ１０４が接続されていることを検出すると、あるいは、バッテリ充電装置１０がＡＣ電力が入力されていることを検出すると、バッテリ充電装置１０は、初期的な充電状態に対応する動作モードで動作するよう電力アダプタに指示し、動作モードに対応する充電パスに接続するよう充電ユニットに指示する。
【０１１８】
初期的な充電状態は、ランダムに決定されてもよいし、所定の充電状態であってもよいし、あるいは、最後の充電中の充電状態であってもよい。
【０１１９】
例えば、初期的な充電状態が所定の第１の充電状態であるとき、第１の充電状態に対応する電力アダプタの動作モードは第１の動作モードである。この場合、バッテリ充電装置が外部の電力アダプタが接続されていることを検出したとき、バッテリ充電装置は、第１の動作モードで動作するよう電力アダプタに指示し、第１の動作モードに対応する充電パスに接続するよう充電ユニット１０２に指示する。具体的な初期的充電状態は本発明の本実施例では限定されず、実際の設計要求に従って決定されてもよい。
【０１２０】
本発明の本実施例において提供されるバッテリ充電方法によると、端末バッテリが充電されているとき、充電パスの現在の温度がリアルタイムに検出される。検出された最大温度値が所定の閾値以上であるとき、電力アダプタの動作モード間のスイッチが実行され、電力アダプタの動作モードに対応する充電パスが接続される。異なる充電パスは異なる熱蓄積位置を有する。従って、充電処理において、検出された温度に従って異なる充電パスにスイッチすることは、熱蓄積を消散可能である。これは、固定的な位置における持続的な局所的熱蓄積を回避する。熱消散が不適切であるとき、デバイス性能が充電中の熱蓄積によって影響を受けることを防ぎ、デバイス寿命を増加させるため、熱はデバイスにおいて均等に分散される。従って、ユーザの利用体験が向上する。
【０１２１】
さらに、本発明の実施例は、上記のバッテリ充電装置１０に適用される他のバッテリ充電方法を提供する。バッテリ充電装置１０の充電電力は、外部の電力アダプタによって供給される。
【０１２２】
図１０を参照して、当該方法は以下のステップを含んでもよい。
【０１２３】
Ｓ１００１  バッテリ充電装置は、バッテリ充電装置における充電パスの温度を検出する。
【０１２４】
ステップＳ１００１はステップＳ８０１と同じであり、詳細はここでは再説明されない。
【０１２５】
Ｓ１００２  バッテリ充電装置に充電電力を供給する電力アダプタが第１の動作モードで動作し、且つ、バッテリ充電装置によって検出された最大温度値が所定の閾値以上であるとき、バッテリ充電装置は、第１の動作モードに対応する充電パスを切断し、第２の動作モードに対応する充電パスに接続し、動作モードスイッチ指示情報を電力アダプタに送信する。
【０１２６】
動作モードスイッチ指示情報は、第２の動作モードにスイッチするよう電力アダプタを指示する。
【０１２７】
バッテリ充電装置に充電電力を供給する電力アダプタが第１の動作モードで動作し、且つ、バッテリ充電装置によって検出された最大温度値が所定の閾値以上であるとき、バッテリ充電装置は、第１の動作モードに対応する充電パスを切断し、第２の動作モードに対応する充電パスに接続するのと同時に、動作モードスイッチ指示情報を電力アダプタに送信してもよい。あるいは、バッテリ充電装置はまず、第１の動作モードに対応する充電パスを切断し、第２の動作モードに対応する充電パスに接続し、その後、動作モードスイッチ指示情報を電力アダプタに送信してもよい。あるいは、バッテリ充電装置はまず、動作モードスイッチ指示情報を電力アダプタに送信し、その後、第１の動作モードに対応する充電パスを切断し、第２の動作モードに対応する充電パスに接続してもよい。ステップＳ１００２における２つのアクション（第１の動作モードに対応する充電パスを切断し、第２の動作モードに対応する充電パスに接続することと、動作モードスイッチ指示情報を電力アダプタに送信すること）の実行順序は、本発明の本実施例では具体的に限定されないことが留意されるべきである。
【０１２８】
Ｓ１００３  電力アダプタは、動作モードスイッチ指示情報を受信する。
【０１２９】
Ｓ１００４  電力アダプタは、バッテリ充電装置に充電電力を供給するため、第２の動作モードにスイッチする。
【０１３０】
さらに、任意的には、ステップＳ１００２が実行される前に、当該方法は更に、バッテリ充電装置が電力アダプタによってサポートされる動作モードを取得することを含んでもよい。
【０１３１】
さらに、電力アダプタが少なくとも２つの動作モードをサポートし、電力アダプタによってサポートされる少なくとも２つの動作モードに対応する充電パスがバッテリ充電装置に存在すると判定された場合、ステップＳ１００２が実行される。
【０１３２】
さらに、電力アダプタが１つのみの動作モードしかサポートしていないと判定された場合、電力アダプタは、サポートされる動作モードで動作するよう指示される。電力アダプタが１つのみの動作モードしかサポートせず、検出された最大温度値が所定の閾値以上であるとき、ユーザは、ディスプレイインタフェースを利用することによってアラートされ、好ましくは、充電パスが切断されるか、あるいは、充電器の電力出力がオフされる。
【０１３３】
バッテリ充電装置が電力アダプタによってサポートされる動作モードを取得することは、ステップＳ１００１の前に又はステップＳ１００１の後に実行されてもよいことが留意されるべきである。順序は、本発明の本実施例では限定されない。
【０１３４】
さらに、当該方法は更に、バッテリ充電装置の初期的な充電状態において、バッテリ充電装置が、第３の動作モードで動作するよう電力アダプタに指示し、第３の動作モードに対応する充電パスに接続することを含んでもよい。
【０１３５】
バッテリ充電装置の初期的な充電状態における動作方式は、図８及び図９に示される方法の実施例において詳細に説明されることが留意されるべきであり、詳細はここでは再説明されない。
【０１３６】
本発明の本実施例において提供されるバッテリ充電方法によると、端末バッテリが充電されているとき、充電パスの現在の温度がリアルタイムに検出される。検出された最大温度値が所定の閾値以上であるとき、電力アダプタの動作モード間のスイッチが実行され、電力アダプタの動作モードに対応する充電パスが、端末バッテリを充電するため接続される。異なる充電パスは異なる熱蓄積位置を有する。従って、充電処理において、検出された温度に従って異なる充電パスにスイッチすることは、熱蓄積を消散可能である。これは、固定的な位置における持続的な局所的熱蓄積を回避する。熱消散が不適切であるとき、デバイス性能が充電中の熱蓄積によって影響を受けることを防ぎ、デバイス寿命を増加させるため、熱はデバイスにおいて均等に分散される。従って、ユーザの利用体験が向上する。
【０１３７】
さらに、本発明の実施例は端末２０を提供する。図１１に示されるように、端末２０は、上記の実施例の何れか１つに説明されるバッテリ充電装置１０及びバッテリを含む。
【０１３８】
具体的には、本発明の装置の実施例において説明されるように、端末２０は、ＵＥ又はＭＳなどの端末デバイスであってもよい。本発明の本実施例では、端末２０がＵＥであるケースは、端末２０の構成及び機能を説明するための具体例として利用される。図１２は、本発明の実施例に関連するＵＥ１２０の部分的構成のブロック図である。
【０１３９】
図１２に示されるように、ＵＥ１２０は、無線周波数（radio  frequency,  RF）回路１２０１、メモリ１２０２、入力ユニット１２０３、ディスプレイユニット１２０４、オーディオ周波数回路１２０５、プロセッサ１２０６及びバッテリ１２０７などのパーツを含む、当業者は、図１２に示されるＵＥ１２０の構成がＵＥに対する何れの限定も構成せず、ＵＥは図面に示されるものより多く又は少ないパーツ、一部のパーツの組み合わせ又は異なって配置されるパーツを含んでもよいことを理解しうる。
【０１４０】
以下は、図１１を参照してＵＥ１２０の各構成パーツを具体的に説明する。
【０１４１】
ＲＦ回路１２０１は、情報受信及び送信中又は電話中に信号を受信及び送信し、特に基地局からダウンリンク情報を受信し、処理のためプロセッサ１２０６にダウンリンク情報を送信するよう構成されてもよい。さらに、ＲＦ回路１２０１は、アップリンクデータを基地局に送信する。通常、ＲＦ回路１２０１は、限定することなく、アンテナ、少なくとも１つのアンプ、送受信機、カプラ、低ノイズアンプ（low  noise  amplifier,  LNA）、デュプレクサなどを含む。さらに、ＲＦ回路１２０６は更に、無線通信を介しネットワーク及び他のデバイスと通信してもよい。無線通信は、限定することなく、グローバル・システム・フォー・モバイル・コミュニケーションズ（global  system  of  mobile  communication,  GSM）、ジェネラル・パケット・ラジオ・サービス（general  packet  radio  service,  GPRS）、符号分割多重アクセス（code  division  multiple  access,  CDMA）、ワイドバンド符号分割多重アクセス（wideband  code  division  multiple  access,  WCDMA）、ロング・ターム・エボリューション（long  term  evolution,  LTE）、電子メール、ショートメッセージサービス（short  messaging  service,  SMS）などを含む何れかの通信規格又はプロトコルを利用することによって実現されてもよい。
【０１４２】
メモリ１２０２は、ソフトウェアプログラム及びモジュールを記憶するよう構成されうる。プロセッサ１２０６は、メモリ１２０２に記憶されるソフトウェアプログラム及びモジュールを実行することによって、ＵＥ１２０の各種機能アプリケーション及びデータ処理を実行する。メモリ１２０２は、プログラム記憶領域及びデータ記憶領域を主として含んでもよい。プログラム記憶領域は、オペレーティングシステム、少なくとも１つの機能（例えば、音声再生機能及び画像再生機能）によって必要とされるアプリケーションプログラムなどを記憶してもよい。データ記憶領域は、ＵＥ１２０の利用に従って作成されるデータ（例えば、オーディオデータ、イメージデータ及び電話帳）などを記憶してもよい。さらに、メモリ１２０２は、高速ランダムアクセスメモリを含んでもよく、例えば、少なくとも１つの磁気ディスク記憶デバイス若しくはフラッシュメモリデバイスなどの不揮発性メモリ又は揮発性ソリッドステート記憶デバイスを更に含んでもよい。
【０１４３】
入力ユニット１２０３は、入力数字又は文字情報を受信し、ＵＥ１２０のユーザ設定及び機能制御に関連するキー信号入力を生成するよう構成されてもよい。具体的には、入力ユニット１２０３は、タッチ画面１２０３１及び他の入力デバイス１２０３２を含んでもよい。タッチ制御パネルとしても参照されるタッチ画面１２０３１は、タッチ画面１２０３１上又は近くでユーザによって実行されるタッチ操作（例えば、指、スタイラス又は他の何れか適したオブジェクト又はアクセサリを利用することによって、タッチ画面１２０３１上又はタッチ画面１２０３１近くでユーザによって実行される操作）を収集し、所定のプログラムに従って対応する接続デバイスを駆動可能である。任意的には、タッチ画面１２０３１は、タッチ検出装置及びタッチコントローラの２つのパーツを含みうる。タッチ検出装置は、ユーザによってタッチされた位置を検出し、タッチ操作から生じる信号を検出し、当該信号をタッチコントローラに送信する。タッチコントローラは、タッチ検出装置からタッチ情報を受信し、当該タッチ情報をタッチポイント座標に変換し、当該タッチポイント座標をプロセッサ１２０６に送信する。さらに、タッチコントローラは、プロセッサ１２０６によって送信されたコマンドを受信及び実行可能である。さらに、タッチ画面１２０３１は、抵抗タイプ、容量タイプ、赤外線タイプ及び表面音響波タイプなどの複数のタイプで実現されてもよい。タッチ画面１２０３１に加えて、入力ユニット１２０３は更に、他の入力デバイス１２０３２を含んでもよい。具体的には、他の入力デバイス１２０３２は、限定することなく、物理的キーボード、ファンクションキー（例えば、ボリューム制御キー又は電源オンオフキー）、トラックボール、マウス、ジョイスティックなどの１つ以上を含んでもよい。
【０１４４】
ディスプレイユニット１２０４は、ユーザによって入力された情報又はユーザに提供される情報及びＵＥ１２０の各種メニューを表示するよう構成されうる。ディスプレイユニット１２０４は、ディスプレイパネル１２０４１を含んでもよい。任意的には、ディスプレイパネル１２０４１は、液晶ディスプレイ（Liquid  Crystal  Display,  LCD）、有機発光ダイオード（Organic  Light-Emitting  Diode,  OLED）などの形態で構成されてもよい。さらに、タッチ画面１２０３１は、ディスプレイパネル１２０４１をカバーしてもよい。タッチ画面１２０３１上又は近くでタッチ操作を検出した後、タッチ画面１２０３１は、タッチイベントのタイプを決定するため、プロセッサ１２０３１にタッチ操作に関する情報を送信する。その後、プロセッサ１２０６は、タッチイベントのタイプに応じてディスプレイパネル１２０４１上で対応するビジュアル出力を提供する。図１２において、タッチ画面１２０３１及びディスプレイパネル１２０４１は、ＵＥ１２０の入力及び出力機能を実現するための２つの独立したパーツとして利用される。しかしながら、いくつかの実施例では、タッチ画面１２０３１及びディスプレイパネル１２０４１は、ＵＥ１２０の入力及び出力機能を実現するよう統合されてもよい。
【０１４５】
オーディオ周波数回路１２０５、ラウドスピーカ１２０７及びマイクロフォン１２０８は、ユーザとＵＥ１２０との間のオーディオインタフェースを提供しうる。オーディオ周波数回路１２０５は、受信したオーディオデータから変換された電気信号をラウドスピーカ１２０７に送信してもよい。ラウドスピーカ１２０７は、電気信号を音声信号に変換し、当該音声信号を出力する。さらに、マイクロフォン１２０８は、収集した音声信号を電気信号に変換し、オーディオ周波数回路１２０５は、当該電気信号を受信し、電気信号をオーディオデータに変換し、例えば、他の携帯電話などにオーディオデータを送信するために当該オーディオデータをＲＦ回路１２０４に出力するか、あるいは、更なる処理のためメモリ１２０２にオーディオデータを出力する。
【０１４６】
プロセッサ１２０６は、ＵＥ１２０の制御センタである。プロセッサ１２０６は、ＵＥ上の全体的なモニタリングを実行するため、各種インタフェース及びラインを利用して、携帯電話全体の全てのパーツに接続し、ＵＥ１２０の各種機能を実行し、メモリ１２０２に記憶されるソフトウェアプログラム及び／又はモジュールを実行し、メモリ１２０２に記憶されるデータを呼び出すことによってデータを処理する。任意的には、プロセッサ１２０６は、１つ以上の処理ユニットを含んでもよい。好ましくは、プロセッサ１２０６は、アプリケーションプロセッサ及びモデムプロセッサを統合してもよい。アプリケーションプロセッサは、オペレーティングシステム、ユーザインタフェース、アプリケーションプログラムなどを主として処理する。モデムプロセッサは、無線通信を主として処理する。あるいは、モデムプロセッサはプロセッサ１２０６に統合されなくてもよいことが理解できる。
【０１４７】
ＵＥ１２０は更に、全てのパーツに電気を供給するバッテリ１２０７を含む。好ましくは、バッテリ１２０７は、電力管理システムを利用することによって、充電管理、放電管理及び電力消費管理などの機能を実現するため、電力管理システムを利用することによってプロセッサ１２０６に論理的に接続されてもよい。ＵＥ１２０は更に、ＵＥ１２０の充電、放電及び電力消費を管理し、電気エネルギーを変換、分配及び検出するよう構成される電力管理チップ（Power  Management  Integrated  Circuits）を含んでもよい。
【０１４８】
バッテリ管理システムは、バッテリ充電装置１０における充電パスの温度に従って、バッテリ１２０７を充電し、バッテリ充電装置１０における充電パスの動作状態及び電力アダプタの動作状態を制御するため、バッテリ充電装置１０を含んでもよい。
【０１４９】
バッテリ充電装置における充電制御ユニットは、ＵＥ１２０のプロセッサ又は電力管理チップの構成パーツであってもよいことが留意されるべきである。すなわち、プロセッサ又は電力管理チップは、充電制御ユニットの機能を実行する。
【０１５０】
バッテリ充電装置１０の具体的な構成、機能及び動作処理が本発明の装置及び方法の実施例部分において詳細に説明されていることが留意されるべきであり、詳細はここでは再説明されない。
【０１５１】
図示されていないが、ワイヤレスフィデリティ（wireless  fidelity,  Wi-Fi）モジュール、ブルートゥースモジュールなどが更にＵＥ１２０に含まれてもよい。詳細はここでは再説明されない。
【０１５２】
本発明において提供される端末２０は、バッテリ充電装置１０と同じ有利な効果を実現するため、バッテリを充電するためのバッテリ充電装置１０を含む。詳細はここでは再説明されない。
【０１５３】
さらに、本発明の実施例は、１つ以上のプログラムを記憶する不揮発性のコンピュータ可読記憶媒体を提供する。１つ以上のプログラムは指示を含み、充電制御ユニット、充電ユニット及び温度収集器を含むバッテリ充電装置１０によって実行されると、バッテリ充電装置１０に以下のイベント、
温度収集器が、充電ユニットにおける充電パスの温度を検出し、検出された温度を充電制御ユニットに転送するイベントと、
前記充電ユニットが、前記充電制御ユニットの指示に従って、電力アダプタの動作モードに対応する充電パスに接続するイベントと、充電ユニットが、充電制御ユニットの指示に従って、電力アダプタの動作モードに対応する充電パスに接続するイベントと、充電制御ユニットが、温度収集器によって転送された温度に従って充電ユニットの動作状態及び電力アダプタの動作状態を通知するイベントと、電力アダプタが第１の動作モードで動作し、且つ、温度収集器によって転送された最大温度値が所定の閾値以上であるとき、充電制御ユニットが、第２の動作モードにスイッチするよう電力アダプタに指示し、第１の動作モードに対応する充電パスを切断し、第２の動作モードに対応する充電パスに接続するよう充電ユニットに指示するイベントとを実行させる。
【０１５４】
バッテリ充電装置１０の各種機能は上記の実施例において詳細に説明されていることが留意されるべきであり、詳細はここでは再説明されない。
【０１５５】
本発明において提供される不揮発性コンピュータ可読記憶媒体によると、バッテリ充電装置１０が可読記憶媒体に記憶されるプログラム指示を実行すると、バッテリ充電装置１０の各種機能が、バッテリ充電装置１０と同じ有利な効果を実現するため、実現可能である。詳細はここでは再説明されない。
【０１５６】
上記の方法の実施例におけるステップの全て又は一部は、関連するハードウェアに指示するプログラムを利用することによって実現されてもよい。プログラムは、不揮発性コンピュータ可読記憶媒体に記憶されてもよい。プログラムが実行されると、上記の方法の実施例におけるステップが実行される。上記の記憶媒体は、ＵＳＢフラッシュドライブ、着脱可能なハードディスク、読み出し専用メモリ（Read-Only  Memory,  ROM）、ランダムアクセスメモリ（Random  Access  Memory,  RAM）、磁気ディスク及び光ディスクなど、プログラムコードを記憶可能な各種媒体を含む。
【０１５７】
上記の説明は、本発明の単なる特定の実現形態であり、本発明の保護範囲を限定することを意図していない。本発明において開示される技術範囲内で当業者によって容易に想到される何れかの変形又は置換は、本発明の保護範囲内に属する。従って、本発明の保護範囲は、請求項の保護範囲に従う。
【図１】
2019520017.tif 000003
【図２】
2019520017.tif 000004
【図３】
2019520017.tif 000005
【図３ａ】
2019520017.tif 000006
【図４】
2019520017.tif 000007
【図５】
2019520017.tif 000008
【図６】
2019520017.tif 000009
【図７】
2019520017.tif 000010
【図８】
2019520017.tif 000011
【図９】
2019520017.tif 000012
【図１０】
2019520017.tif 000013
【図１１】
2019520017.tif 000014
【図１２】
2019520017.tif 000015
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
端末におけるバッテリに電気接続されるバッテリ充電装置であって、当該バッテリ充電装置は、充電制御ユニット、充電ユニット及び温度収集器を含み、
前記温度収集器は、前記充電ユニットにおける充電パスの温度を検出し、前記検出された温度を前記充電制御ユニットに転送するよう構成され、
前記充電ユニットは、少なくとも２つの充電パスを含み、前記少なくとも２つの充電パスは、パラレルに接続され、前記充電ユニットは、前記充電制御ユニットの指示に従って、電力アダプタの動作モードに対応する充電パスに接続し、
前記充電制御ユニットは、前記温度収集器、前記充電ユニット及び前記電力アダプタに電気接続され、前記充電制御ユニットは、前記温度収集器によって転送された前記温度に従って前記充電ユニットの動作状態及び前記電力アダプタの動作状態を通知し、前記電力アダプタが第１の動作モードで動作し、且つ、前記温度収集器によって検出された最大温度値が所定の閾値以上であるとき、前記充電制御ユニットは、第２の動作モードにスイッチするよう前記電力アダプタに指示し、前記第１の動作モードに対応する充電パスを切断し、前記第２の動作モードに対応する充電パスに接続するよう前記充電ユニットに指示するバッテリ充電装置。
【請求項２】
当該装置は、前記充電ユニットにおける各充電パスの温度を検出するため、前記充電ユニットにおける各充電パスについて配置された温度収集器を含む、請求項１記載の装置。
【請求項３】
前記最大温度値は、前記第１の動作モードに対応する前記充電パスの温度である、請求項１又は２記載の装置。
【請求項４】
前記第２の動作モードに対応する前記充電パスの発熱位置は、前記第１の動作モードに対応する前記充電パスの発熱位置から最も遠い、又は、
前記第２の動作モードに対応する前記充電パスは、前記第１の動作モードに対応する前記充電パス以外の前記充電ユニットにおいて生成される最小の理論熱量を備えた充電パスである、請求項１乃至３何れか一項記載の装置。
【請求項５】
当該バッテリ充電装置は、前記電力アダプタに電気接続され、
前記充電制御ユニットは更に、
前記電力アダプタによってサポートされる動作モードを取得し、
前記電力アダプタが少なくとも２つの動作モードをサポートしていると判定し、且つ、前記電力アダプタによってサポートされる前記少なくとも２つの動作モードに対応する充電パスが前記充電ユニットに存在すると判定した場合、前記温度収集器によって転送された前記温度に従って前記充電ユニットの動作状態及び前記電力アダプタの動作状態を通知することを実行するよう構成される、請求項１乃至４何れか一項記載の装置。
【請求項６】
前記充電制御ユニットは更に、
前記バッテリ充電装置の初期的な充電状態において、第３の動作モードで動作するよう前記電力アダプタに指示し、前記第３の動作モードに対応する充電パスに接続するよう前記充電ユニットに指示するよう構成され、
前記第３の動作モードは、前記電力アダプタによってサポートされる動作モードの何れか１つであり、前記第３の動作モードに対応する前記充電パスが、前記充電ユニットに存在する、請求項１乃至５何れか一項記載の装置。
【請求項７】
バッテリ充電装置に電気接続される電力アダプタであって、当該電力アダプタは、少なくとも２つの動作モードをサポートし、当該電力アダプタは、通信インタフェース、切り替えスイッチ、通信モジュール及び電力モジュールを含み、
前記通信モジュールは、前記通信インタフェースを利用することによって前記バッテリ充電装置と通信し、前記バッテリ充電装置によって送信され、当該電力アダプタの動作モードを通知するのに利用される指示情報を受信するよう構成され、
前記電力モジュールは、前記通信インタフェースを利用することによって前記バッテリ充電装置に充電電力を供給するよう構成され、
前記切り替えスイッチは、前記電力モジュールの動作モードを制御するよう構成され、
前記通信モジュールは更に、前記電力モジュールの前記動作モードを制御するため、前記バッテリ充電装置によって送信された前記指示情報に従って前記切り替えスイッチの動作状態の間でスイッチするよう構成される電力アダプタ。
【請求項８】
バッテリ充電方法であって、当該方法はバッテリ充電装置に適用され、前記バッテリ充電装置は少なくとも２つの充電パスを含み、前記少なくとも２つの充電パスはパラレルに接続され、当該方法は、
前記バッテリ充電装置における充電パスの温度を検出するステップと、
前記バッテリ充電装置に充電電力を供給する電力アダプタが第１の動作モードで動作し、且つ、検出された最大温度値が所定の閾値以上であるとき、第２の動作モードにスイッチするよう前記電力アダプタに指示し、前記第１の動作モードに対応する充電パスを切断し、前記第２の動作モードに対応する充電パスに接続するステップと、
を含む方法。
【請求項９】
前記最大温度値は、前記第１の動作モードに対応する前記充電パスの温度である、請求項８記載の方法。
【請求項１０】
前記第２の動作モードに対応する前記充電パスの発熱位置は、前記第１の動作モードに対応する前記充電パスの発熱位置から最も遠い、又は、
前記第２の動作モードに対応する前記充電パスは、前記第１の動作モードに対応する前記充電パス以外の前記バッテリ充電装置において生成される最小の理論熱量を備えたパスである、請求項８又は９記載の方法。
【請求項１１】
前記バッテリ充電装置の充電電力は、外部の電力アダプタによって供給され、第２の動作モードにスイッチするよう前記電力アダプタに指示する前に、前記第１の動作モードに対応する充電パスを切断し、前記第２の動作モードに対応する充電パスに接続し、当該方法は更に、
前記電力アダプタによってサポートされる動作モードを取得するステップと、
前記電力アダプタが少なくとも２つの動作モードをサポートしていると判定し、且つ、前記電力アダプタによってサポートされる前記少なくとも２つの動作モードに対応する充電パスが前記バッテリ充電装置に存在すると判定した場合、第２の動作モードにスイッチするよう前記電力アダプタに指示し、前記第１の動作モードに対応する充電パスを切断し、前記第２の動作モードに対応する充電パスに接続することを実行するステップと、
を含む、請求項８乃至１０何れか一項記載の方法。
【請求項１２】
当該方法は更に、
前記バッテリ充電装置の初期的な充電状態において、第３の動作モードで動作するよう前記電力アダプタに指示し、前記第３の動作モードに対応する充電パスに接続するステップを含み、
前記第３の動作モードは、前記電力アダプタによってサポートされる動作モードの何れか１つであり、前記第３の動作モードに対応する前記充電パスが、前記バッテリ充電装置に存在する、請求項８乃至１１何れか一項記載の方法。
【請求項１３】
請求項１乃至６何れか一項記載のバッテリ充電装置及びバッテリを含む端末。
【請求項１４】
１つ以上のプログラムを記憶する不揮発性コンピュータ可読記憶媒体であって、前記１つ以上のプログラムは指示を含み、充電制御ユニット、充電ユニット及び温度収集器を含むバッテリ充電装置によって実行されると、
前記指示は、
前記温度収集器が、前記充電ユニットにおける充電パスの温度を検出し、前記検出された温度を前記充電制御ユニットに転送するイベントと、
前記充電ユニットが、前記充電制御ユニットの指示に従って、電力アダプタの動作モードに対応する充電パスに接続するイベントと、
前記充電制御ユニットが、前記温度収集器によって転送された前記温度に従って前記充電ユニットの動作状態及び前記電力アダプタの動作状態を通知し、前記電力アダプタが第１の動作モードで動作し、且つ、前記温度収集器によって転送された最大温度値が所定の閾値以上であるとき、前記充電制御ユニットが、第２の動作モードにスイッチするよう前記電力アダプタに指示し、前記第１の動作モードに対応する充電パスを切断し、前記第２の動作モードに対応する充電パスに接続するよう前記充電ユニットに指示するイベントと、
を前記バッテリ充電装置に実行させる記憶媒体。
【国際調査報告】
2019520017.tif 000016
2019520017.tif 000017
2019520017.tif 000018
2019520017.tif 000019